(57)【要約】【課題】水抜き穴への挿着時において水抜き穴の内壁面への押し付け面積が相対的に大きく、小さな虫の侵入の防止をより確実に図ることができ、水抜き穴の内部形状の多様化へも柔軟に対応可能な防虫器具を提供する。【解決手段】防虫器具１８は、外側周面に立状体１９を起毛した筒状体２０と、この筒状体２０の一方の開口端に設けられ、基部２２と可変部２３とから成る抜け防止機構２１と、基部２２と連結すると共に筒状体内２０に挿通された作動棒２４とより構成され、挿着時に、筒状体２０は水抜き穴１５の溝部１４内に位置し、基部２２及び可変部２３は、水抜き穴１５の溝部１４のうち開口部１６とは反対側端よりも突出しており、作動棒２４を筒状体２０の軸方向に沿って動作させることにより、可変部２３が筒状体２２の径方向に拡縮して、水抜き穴１５の溝部１４のうち反開口部１６側の開口端への係合とその解除を可能とする。【選択図】  図５
2007089500.tif 000002
【特許請求の範囲】
【請求項１】
外側周面に柔性を有する立状体を起毛した筒状体から成る防虫手段と、この筒状体の一方の開口端に設けられ、基部と可変部とから成る抜け防止手段と、この抜け防止手段の基部と連結すると共に前記筒状体内に挿通された作動棒を有する操作手段とより構成され、
前記防虫手段の筒状体は被挿入体に設けられた穴内に位置し、前記抜け防止手段の基部及び可変部は、前記穴の奥側端より前記被挿入体の内部に突出しており、前記操作手段の作動棒を前記筒状体の軸方向に沿って動作させることにより、前記可変部が前記筒状体の径方向に拡縮して、前記穴の奥側端周縁面への係合とその解除を可能としたことを特徴とする防虫器具。
【請求項２】
前記操作手段の操作棒は、前記抜け防止手段の基部と反対側端に引き金具が設けられていると共に、この引き金具の近傍部位で曲折可能であることを特徴とする請求項１に記載の防虫器具。
【請求項３】
枠体及びこの枠体内側に配された網状部より成る防虫手段と、前記枠体の開口方向と同方向に開口する環状部材、前記枠体と環状部材とを連結する複数の剛性の弾性線状部材、及び前記弾性線状部材間に架設された支持部材より成る抜け防止手段とより構成され、
前記防虫手段の枠体は、被挿入体に設けられた穴の開口部に嵌め込まれ、前記抜け防止手段の弾性線状部材は前記枠体よりも前記穴の径方向に湾曲しており、前記穴内に位置する場合には当該弾性線状部材の復元力にて当該穴の内壁面に圧接した状態にあることを特徴とする防虫器具。
【請求項４】
前記弾性線状部材は、前記枠体に対しその四隅にて連結していることを特徴とする請求項３に記載の防虫器具。
【請求項５】
透水性を有する弾性素材から構成され、被挿入体に設けられた穴に対しその軸方向から見た開口形状よりも若干大きな外形状のブロック体で構成されており、
前記穴内に挿入された際には、前記ブロック体自体による復元力にて当該穴の内壁面に圧接した状態にあることを特徴とする防虫器具。
【請求項６】
中空状の主柱材を複数継ぎ足すことで構成された主柱を有する屋外設置型金属製構造物において、
前記主柱を構成する主柱材のうち最下端の主柱材の下端部に中央に通孔を有する盤状の台座を設け、基台の頭部に盤状のフランジ部を設けると共に、前記台座とフランジ部との間に盤状の斜水盤が介在され、
この斜水盤には、前記台座の通孔と連通すると共にこの通径から当該斜水盤の径方向に沿って外周縁側に延びて開口部を有して成る水抜き穴が形成されており、この水抜き穴には前記開口部から請求項１から５のいずれかに記載の防虫器具が挿着されていることを特徴とする屋外設置型金属製構造物。
【発明の詳細な説明】
【技術分野】
【０００１】
この発明は、例えば送電線鉄塔等、屋外に設置される型式の金属製構造物の水抜き穴に挿着されて、虫等の当該水抜き穴への侵入を防止するための器具の構造に関する。
【背景技術】
【０００２】
この種の送電線を架け渡すための送電鉄塔は、直接的に雨雪に晒されるので、主柱材の内部における防食、防錆を図る必要がある。このため、中空鋼管鉄塔では、主柱材の最下端部に円盤状の斜水盤を配し、この斜水盤に対し一端側が斜水盤の径方向外縁側に延びると共に反対側が前記主柱材内部と連通する水抜き穴を設けて、主柱材同士の継ぎ目等から内部に侵入した雨水等を水抜き穴から外部に排出する構成が一般に採られている（例えば、特許文献１の特に図４、図７を参照。）。尚、この水抜き穴は、斜水盤に対し径方向外側に開口した形状が例えば縦幅１０ｍｍ×横幅２０ｍｍの略長方形状となっている。
【０００３】
そして、送電鉄塔は、おおよそ山中等に設置されているところ、中空鋼管鉄塔では、水抜き穴から主柱材内部に昆虫、特に地蜂（クロスズメバチ）等の地中や樹木の穴に営巣する性質を有する虫が侵入し主柱材の内壁面に営巣することで、この巣が朽ちて主柱材の内壁面から斜水盤上に剥離落下して堆積し、その結果、斜水盤の水抜き穴を塞いで主柱材内部が湿潤状態となり、主柱材の腐食環境が生ずるという不具合も知られており、この不具合を解消するために水抜き穴から虫が侵入するのを防止する防虫金具を水抜き穴に挿着することも既に開発されている（例えば、特許文献１の特に図１から図３を参照。）。
【０００４】
この特許文献１示す防虫金具では、複数の通水孔を有し、この通水孔の形状を扁平矩形状等の細長い形状とすることで、虫を通さない一方で主材内部の比較的大きな異物も通水孔から排除することが可能であるとされている。そして、防虫金具の組み付けは、挿込部の末広がり状に拡開された自由端側を指先で摘んで細めながら水抜き穴の入口に挿し込んで指を離すことで自由端が弾性によって拡開状態に戻り、これに伴い、挿込部の上面及び側面が水抜き穴の内壁面に圧接され、且つ挿込部の側面に形成された係止爪が内壁面に引っ掛かって抜止状態となり、確実な取付けがワンタッチでできるともされている。
【特許文献１】実用新案登録第２６０１８３０号実用新案登録公報
【発明の開示】
【発明が解決しようとする課題】
【０００５】
しかしながら、特許文献１に示す防虫金具の構造では、水抜き穴の内壁面と実質的に気密性良く接触しているのは挿込部の挿入先端の自由端近傍部位に限定され、水抜き穴の内壁面への押し付け面積が相対的に狭く、係止爪が破損すれば防虫金具が水抜き穴から落下するおそれがあるという不具合を有する。また、このように係止爪を水抜き穴の内壁面に引き掛けて防虫金具の抜け防止を図る構造を取っているので、防虫金具の交換・メンテナンスのために当該防虫金具を水抜き穴から取外す作業が簡易でなく、無理に防虫金具を外そうとすると水抜き穴の内壁面に引き掛かった係止爪が破損し易いと言う不都合も有する。更に、地蜂（クロスズメバチ）の体幅は女王蜂等でも５ミリ程度に過ぎないところ、通水孔の形状を扁平矩形状等の細長い形状としても、地蜂（クロスズメバチ）の侵入を適宜防止することが可能であるかについては懸念がある。更にまた、防虫金具の外形状は水抜穴の内部形状が一定寸法の略長方形状にのみ対応しており、汎用性に欠けるおそれがある。
【０００６】
この点、図１０に示されるように、防虫金具としてコイル体１００を水抜き穴１０１の開口部に対し横方向に挿着することも考えられるが、このコイル体１００でも当該コイル体１００を外すにはその軸方向に圧縮させために外部から大きな力を加えることを要するので取外し作業が簡便であるとまでは言えない。また、コイル体１００が圧縮した状態から復元した際に、コイル体１００の軸方向で隣り合う略リング部１０２（例えば、リング１０２ａとリング１０２ｂとの間）の間Ｌ１から虫が侵入するおそれもある。
【０００７】
そこで、本発明は、水抜き穴への挿着時において水抜き穴の内壁面への押し付け面積が相対的に大きく、小さな虫の侵入の防止をより確実に図ることができ、水抜き穴の内部形状の多様化にも柔軟に対応可能な防虫器具及びこの防虫器具が挿着された屋外設置型金属製構造物を提供することを目的とする。
【課題を解決するための手段】
【０００８】
この発明に係る防虫器具は、外側周面に柔性を有する立状体を起毛した筒状体から成る防虫手段と、この筒状体の一方の開口端に設けられ、基部と可変部とから成る抜け防止手段と、この抜け防止手段の基部と連結すると共に前記筒状体内に挿通された作動棒を有する操作手段とより構成され、前記防虫手段の筒状体は被挿入体に設けられた穴内に位置し、前記抜け防止手段の基部及び可変部は、前記穴の奥側端より前記被挿入体の内部に突出しており、前記操作手段の作動棒を前記筒状体の軸方向に沿って動作させることにより、前記可変部が前記筒状体の径方向に拡縮して、前記穴の奥側端周縁面への係合とその解除を可能としたことを特徴とするものである（請求項１）。前記操作手段の作動棒は、前記抜け防止手段の基部と反対側端に引き金具が設けられていると共に、この引き金具の近傍部位で曲折可能である（請求項２）。尚、柔性を有する立状体は、例えば合成樹脂材や獣毛等から成るブラシである。また、被挿入体は例えば送電鉄塔等の屋外設置型金属製構造物であり、穴は例えば前記鉄塔等を構成する斜水盤に対しその径方向の外側面に開口した水抜き穴である。
【０００９】
また、この発明に係る防虫器具は、枠体及びこの枠体内側に配された網状部より成る防虫手段と、前記枠体の開口方向と同方向に開口する環状部材、前記枠体と環状部材とを連結する複数の剛性の弾性線状部材、及び前記弾性線状部材間に架設された支持部材より成る抜け防止手段とより構成され、前記防虫手段の枠体は、被挿入体に設けられた穴の開口部に嵌め込まれ、前記抜け防止手段の弾性線状部材は前記枠体よりも前記穴の径方向に湾曲しており、前記穴内に位置する場合には当該弾性線状部材の復元力にて当該穴の内壁面に圧接した状態にあることを特徴とするものである（請求項３）。前記弾性線状部材は、前記枠体に対しその四隅にて連結している（請求項４）。尚、弾性線状部材は例えば鋼線バネである。また、この発明でも、被挿入体は例えば送電鉄塔等の屋外設置型金属製構造物であり、穴は例えば送電鉄塔等を構成する斜水盤に対しその径方向の外側面に開口した水抜き穴である。
【００１０】
更に、この発明に係る防虫器具は、透水性を有する弾性素材から構成され、被挿入体に設けられた穴に対しその軸方向から見た開口形状よりも若干大きな外形状のブロック体で構成されており、前記穴内に挿入された際には、前記ブロック体自体による復元力にて当該穴の内壁面に圧接した状態にあることを特徴とする（請求項５）。尚、この発明でも、被挿入体は例えば送電鉄塔等の屋外設置型金属製構造物であり、穴は例えば送電鉄塔等を構成する斜水盤に対しその径方向の外側面に開口した水抜き穴である。
【００１１】
そして、屋外設置型金属製構造物は、中空状の主柱材を複数継ぎ足すことで構成された主柱を有する屋外設置型金属製構造物において、前記主柱を構成する主柱材のうち最下端の主柱材の下端部に中央に通孔を有する盤状の台座を設け、基台の頭部に盤状のフランジ部を設けると共に、前記台座とフランジ部との間に盤状の斜水盤が介在され、この斜水盤には、前記台座の通孔と連通すると共にこの通径から当該斜水盤の径方向に沿って外周縁側に延びて開口部を有して成る水抜き穴が形成されており、この水抜き穴には前記開口部から請求項１から５のいずれかに記載の防虫器具が挿着されていることを特徴とするものである（請求項６）。尚、主柱材は例えば軸方向の両端が開口した中空鋼管である。
【発明の効果】
【００１２】
これらの請求項１から６に記載の発明によれば、水抜き穴の内壁面への防虫器具の押し付け面積が相対的に大きくなるので、防虫器具の水抜き穴への挿着性をより確実なものとすることができ、ひいては防虫器具が水抜き穴から脱落し難くなる。また、いずれの防虫器具も主柱材から排水できるようにその透水性を維持しつつ地蜂（クロスズメバチ）等の小さな虫の侵入も防止することができる。更に、防虫器具の取り外しも簡易で、且つ防虫器具の取り外しの際に当該防虫器具の一部が破損するおそれもない。更にまた、防虫器具の外形状を水抜き穴の形状に合わせて自由に変形させることも可能である。
【００１３】
特に、請求項１に記載の発明によれば、筒状体の外周面に対しブラシ等の立状体を密に起毛させることにより、防虫器具の水抜き穴の内壁面への押し付け面積を相対的に大きくするとの所期の目的を達成することができると同時に、主柱材内部からの水を排出する一方で虫の侵入については密集した立状体によってより効果的に防止することができる。また、作動棒を軸方向の手前側に引くことにより、抜け防止手段の可変部が径方向外側に水抜き穴の溝部の内径よりも拡がるので、溝部の奥側端に係合されて、当該可変部が抜け防止のための機構となり、防虫器具の固定を確実に図ることができ、設置後に防虫器具が外れるのを防止することができる。一方、防虫器具に対する固定の解除は、作動棒を水抜き穴の奥側に押すことにより、抜け防止手段の可変部が水抜き穴の溝部の内径寸法よりも径方向内側に縮まることで行なわれ、これにより防虫器具を簡易に水抜き穴から簡易に抜き出すことができる。そして、作動棒は、引き金具の近傍部位で曲折可能であるため、作動棒が斜水盤から大きく突出して、他の作業の妨げ等になるのを防止することもできる。更にまた、防虫器具の筒状体の立状体は水抜き穴の内壁面と当接すると筒状体側に撓むため、防虫器具の立状体をも含む外形状としては水抜き穴の形状が変わっても自由に変形させることができるので、特定の水抜き穴に限定されず、様々な形状の水抜き穴に用いることが可能である。
【００１４】
特に、請求項３に記載の発明によれば、枠体に配した網状部のピッチを例えば地蜂の体幅よりも小さくなるよう２ｍｍから３ｍｍとすることで、主柱材内部からの排水を可能とする一方で虫の侵入については網状部によってより効果的に防止することができる。また、水抜き穴内に挿着した際に、枠体の四隅と環状部材とを連結する剛性の弾性線状部材が水抜き穴の内壁面に圧接するので、水抜き穴への押し付け面積が相対的に増大して、防虫器具の固定を確実に図ることができ、設置後に防虫器具が外れるのを防止することができる。一方、防虫器具の固定の解除は、枠体を持って手前側に引くと弾性線状部材が押圧により変形するので、防虫器具を簡易に水抜き穴から抜き出すことができる。そして、防虫器具の挿着時に当該防虫器具の全てが水抜き穴内に収納されるので、他の作業の妨げ等になるのを防止することもできる。更にまた、防虫器具の弾性線状部材は水抜き穴の内壁面と当接すると内側に曲折するので、防虫器具の弾性線状部材をも含む外形状としては水抜き穴の形状が変わっても自由に変形させることができるので、特定の水抜き穴に限定されず、様々な形状の水抜き穴に用いることが可能である。
【００１５】
特に、請求項５に記載の発明によれば、防虫器具に対し外部から力を加えてブロック体の体積を相対的に小さくして水抜き穴にその開口部から挿着することで、防虫器具のブロック体自体が有する復元力で水抜き穴の内壁面に圧接するので、水抜き穴との接触面積が相対的に増大して、防虫器具の固定を確実に図ることができ、設置後に防虫器具が外れるのを防止することができる。また、防虫器具は虫が侵入することができような連通孔を有しないので、虫の主柱材内部への侵入をより効果的に防止することができる。一方、防虫器具の固定の解除は、防虫器具を摘んで手前側に引くことにより、防虫器具を構成するブロック体の厚みが水抜き穴の幅よりも縮小する方向に変形するので、防虫器具を簡易に水抜き穴から抜き出すことができる。そして、防虫器具の挿着時に当該防虫器具の全てが水抜き穴内に収納されるので、他の作業の妨げ等になるのを防止することもできる。更にまた、防虫器具のブロック体は水抜き穴の内壁面と当接すると内側に圧縮されるため、防虫器具の外形状を水抜き穴の形状が変わっても自由に変形させることができるので、特定の水抜き穴に囚われず、様々な形状の水抜き穴に用いることが可能である。
【発明を実施するための最良の形態】
【００１６】
以下、この発明の実施形態の最良の形態について図面により説明する。
【００１７】
図１において、屋外設置型金属製建造物の一例として、送電線を架け渡すための送電鉄塔１の特に基部側近傍部位が図示されている。但し、屋外設置型金属製建造物は、テレビ塔、携帯電話の中継アンテナ塔、その他の電波塔等であって後述する水抜き穴１５等の穴を有するものであれば良い。
【００１８】
上記送電鉄塔１は、例えばコンクリート製の台座２に中空鋼管製の主柱材４及び最下端の基礎材５から成ると共に当該送電鉄塔の頂部まで達する複数（通常は４本）の主柱３と、この主柱３、３間に支柱材６を適宜架設することでその骨組みが構成されている。
【００１９】
このうち、主柱材４と主柱材４との継ぎ足しは、各主柱材４の長手方向端部においてその径方向に突出形成されたフランジ部７同士を当接しボルト等の固定具８により固定すること等で行なわれる。従って、主柱材４の内部と主柱材４の内部とは連通した状態にある。
【００２０】
これに対し、主柱材４と基礎材５との接合は、図２に示されるように、主柱材４の長手方向下端部においてその径方向に突出形成されたフランジ部７と、基礎材５の長手方向上端部においてその径方向に突出形成されたフランジ部７との間に斜水盤１０を介在させた後、各主柱材４のフランジ部７、斜水盤１０、基礎材５のフランジ部７に形成された一連の貫通孔１１、１２、１３にボルト等の固定具８を挿着・固定することで行なわれる。
【００２１】
斜水盤１０は、図２に示されるように、主柱材４のフランジ部７及び基礎材５のフランジ部７の径寸法と略同じ径寸法を有する円盤状のもので、この実施形態では、斜水盤１０の中心から十字状に延びる溝部１４より成る有底の水抜き穴１５を有しており、この水抜き穴１５の一端は斜水盤１０の径方向外縁まで達して略Ｕ字状の開口部１６を形成している。水抜き穴１５の開口部１６における寸法は、例えば縦幅が１０ｍｍで横幅が２０ｍｍである。尚、水抜き穴１５の各溝部１４は、斜水盤１０の中心から開口部１６までの溝深度が暫時深くなるようにその底方の内壁面１５Ａが傾斜面となっていても良い。
【００２２】
しかるに、図３に示されるように、この斜水盤１０を主柱材４のフランジ部７と基礎材５のフランジ部７とで挟持固定した場合には、水抜き穴１５は、斜水盤１０の中心近傍部位にて主柱材４の内部と連通し、且つこの斜水盤１０の径方向側外縁の開口部１６にて外部と連通する構成となるので、連結された主柱材４内を垂下してきた水等を斜水盤１０の水抜き穴１５のうち斜水盤１０の中心近傍部位で受けて、開口部１６から排することができる。
【００２３】
ところで、図４及び図５において、地蜂（クロスズメバチ）等の地中や樹木の穴に営巣する性質を有する虫が水抜き穴１５の開口部１６から主柱材４内部まで侵入するのを防止するためのものとして、第１の例としての防虫器具１８が示されている。
【００２４】
この防虫器具１８は、外側周面に柔性を有するブラシ等の立状体２０を起毛した筒状体１９と、この筒状体１９の一方の開口端に設けられ、基部２２と可変部２３とから成る抜け防止機構２１と、この抜止防止機構２１の基部２２と線状部材２５を介して連結すると共に筒状体１９内に挿通された作動棒２４とより基本的に構成されている。
【００２５】
筒状体１９の外径寸法は、水抜き穴１５の径方向寸法よりも小さく、その軸方向寸法は、溝部１４の長手方向寸法と同じか若干短くなっている。各立状体２０の長さは、筒状体１９の側面から水抜き穴１５の内壁面１５Ａ乃至１５Ｃ及び主柱材４の壁面までの隙間と同じか若干長くなるように設定されている。基部２２の外径寸法も、溝部１４を挿通可能なように水抜き穴１５の径方向寸法よりも小さくなっている。可変部２３は、この実施形態では、薄い板状のもので、一端が筒状体１９の開口端部位に連結され、他端が基部２２に連結されており、通常時では全体が直線状態であると共に、所定の箇所に切り込み２７が形成されている。また、作動棒２４は、その端部に引き金具２８が形成されていると共に、作動棒２４が後述するように筒状体１９から引き出された際に当該筒状体１９の端部の近傍となる部位に切り込み２９が形成されている。
【００２６】
しかるに、図５（Ａ）に示されるように、開口部１６から水抜き穴１５に防虫器具１８を挿着した場合には、筒状体１９と水抜き穴１５の内壁面１５Ａ乃至１５Ｃ及び主柱材４の壁面までの隙間とは立状体２０で埋められ、立状体２０の水抜き穴１５への押し付け面積が相対的に拡大するので、虫が当該隙間から中に侵入することをより効果的に防止することができる。また、立状体２０は水抜き穴１５の内壁面と当接すると筒状体１９側に撓むため、防虫器具１８の立状体２０をも含む外形状としては水抜き穴の内部形状が変わっても自由に変形させることができるので、特定の水抜き穴に限定されず、様々な形状の水抜き穴に用いることが可能である。尚、基部２２及び可変部２３は、水抜き穴１５の溝部１４のうち開口部１６とは反対側となる奥側端から斜水盤１０の中心部位に突出した状態にある。
【００２７】
次に、図５（Ｂ）に示されるように、引き金具２８を持って、作動棒２４を水抜き穴１５に対し軸方向外側に引き出す方向に動かすことにより、可変部２３が切り込み２７の部位にて折れ曲がって、筒状体１９の径方向寸法よりも拡がり、水抜き穴１５の当該防虫器具１８が挿着された溝部１４と交差する溝部１４の内壁面と係合するので、この可変部２３がストッパーの役割を果たし、防虫器具１８が水抜き穴１５から不用意に抜け落ちるのを防止することができる。尚、引き金具２８を持って抜き穴１５に対し軸方向奥側に押し込む方向に動かすことにより、可変部２３が直線状態に戻って、筒状体１９の径方向寸法よりも縮まるので、このストッパーの解除も簡易に行なうことができる。
【００２８】
そして、図５（Ｃ）に示されるように、作動棒２４を切り込み２９の部位にて曲折させて、作動棒２４の引き金具２８が地面側となるようにする。これにより、作動棒２４が斜水盤１０からその径方向に沿って大きく突出ししまい、他の作業の妨げ等になるのを防止することもできる。
【００２９】
図６及び図７において、地蜂（クロスズメバチ）等の地中や樹木の穴に営巣する性質を有する虫が水抜き穴１５の開口部１６から主柱材４内部まで侵入するのを防止するためのものとして、第２の例としての防虫器具３０が示されている。
【００３０】
この防虫器具３０は、枠体３１及びこの枠体３１内に配された網状部３２と、枠体３１の開口方向と対峙して開口する環状部材３４、枠体３１と環状部材３４とを連結する複数の剛性の弾性線状部材３５、弾性線状部材３５間に架設された支持部材３６より成る抜け防止機構３３とより基本的に構成されている。尚、弾性線状部材３５は、例えば鋼線バネである。
【００３１】
枠体３１の外形状は、水抜き穴１５の開口部１６に嵌合可能な寸法（例えば縦幅が１０ｍｍで横幅が２０ｍｍ）をなしている。また、網状部３２はメッシュ状のもので、そのピッチは、地蜂（クロスズメバチ）等の虫が侵入することができないように、虫の体幅よりも小さな２ｍｍから３ｍｍである。弾性線状部材３５は、一端が枠体３１の四隅の角部に連結され、他端が環状部材３４に連結されているもので、直線状ではなく、図６（Ｃ）に示されるように、水抜き穴１５の径方向に緩やかに弧を描くように湾曲した形状となっている。支持部材３６は、弾性線状部材３５が上述のような湾曲した形状を保持するために弾性線状部材３５、３５間に張設されたものである。
【００３２】
しかるに、図７に示されるように、防虫器具３０を開口部１６から水抜き穴１５に挿着することで、弾性線状部材３５が水抜き穴１５の内壁面１５Ａ乃至１５Ｃ及び主柱材４の壁面に圧接するため、弾性線状部材３５の水抜き穴１５への押し付け面積が相対的に拡大するので、この弾性線状部材３５がストッパーの役割を果たし、防虫器具３０が水抜き穴１５から不用意に抜け落ちるのを防止することができる。また、枠体３１に配されたピッチの小さなメッシュ状の網状部３２により虫などの侵入をより効果的に防止することができる。更に、弾性線状部材３５は水抜き穴１５の内壁面１５Ａ乃至１５Ｃ等と当接すると溝部１４の径方向中心側に曲折するため、防虫器具３０の弾性線状部材３５をも含む外形状としては水抜き穴１５の内部形状が変わっても自由に変形させることができるので、特定の水抜き穴に限定されず、様々な形状の水抜き穴に用いることが可能である。
【００３３】
図８及び図９において、地蜂（クロスズメバチ）等の地中や樹木の穴に営巣する性質を有する虫が水抜き穴１５の開口部１６から主柱材４内部まで侵入するのを防止するためのものとして、第３の例としての防虫器具３７が示されている。
【００３４】
この防虫器具３７は、図８に示されるようなブロック体から構成されるもので、透水性を有する弾性素材から構成されている。そして、この防虫器具３７の水抜き穴１５への挿入方向から見た外形状は、水抜き穴１５の開口部１６の内形状よりも幾分大きくなっている。
【００３５】
これにより、防虫器具３７を圧縮して相対的に細くした状態で水抜き穴１５に挿着した場合には、図９に示されるように、防虫器具３７の復元力により防虫器具３７の各面が水抜き穴１５の内壁面１５Ａ乃至１５Ｃ及び主柱材４の壁面に圧接するため、防虫器具３７の水抜き穴１５への押し付け面積が相対的に拡大するので、この防虫器具３７全体がストッパーの役割を果たし、防虫器具３７が水抜き穴１５から不用意に抜け落ちるのを防止することができる。また、防虫器具３７は虫が通過する穴を有しないので、虫などの侵入をより効果的に防止することができる。更に、防虫器具３７は水抜き穴１５の内壁面１５Ａ乃至１５Ｃ等と当接すると溝部１４の径方向中心側に圧縮されるため、防虫器具３７の外形状を水抜き穴の内部形状が変わっても自由に変形させることができるので、特定の水抜き穴に囚われず、様々な形状の水抜き穴に用いることが可能である。
【図面の簡単な説明】
【００３６】
【図１】図１は、この発明が用いられる中空鋼管鉄塔たる送電鉄塔の基部側近傍部位の構成を示す概略図である。
【図２】図２は、主柱材の下端側フランジ部近傍部位、斜水盤、基礎材の上端側フランジ部近傍部位の各構成を示す斜視図である。
【図３】図３は、主柱材の下端側フランジ部近傍部位、斜水盤、基礎材の上端側フランジ部近傍部位を組み付けた状態を示す斜視図である。
【図４】図４は、この発明に係る防虫器具の第１の例を示す一部断面図である。
【図５】図５（Ａ）は同上の防虫器具を水抜き穴に挿着した状態を示す説明図で、図５（Ｂ）は、同上の防虫器具の作動棒を軸方向に動かして固定した状態を示す説明図で、図５（Ｃ）は、同上の防虫器具の作動棒を折り曲げた状態を示す説明図である。
【図６】図６（Ａ）は、この発明に係る防虫器具の第２の例を示す斜視図であり、図６（Ｂ）は、同上の防虫器具の正面図であり、図６（Ｃ）は、同上の防虫器具の側面図である。
【図７】図７は、図６に示す防虫器具を水抜き穴に挿着した状態を示す断面図である。
【図８】図８は、この発明に係る防虫器具の第３の例を示す斜視図であある。
【図９】図９は、図８に示す防虫器具を水抜き穴に挿着した状態を示す断面図である。
【図１０】図１０は、本願出願人がこの発明に先立って調査した防虫器具の構成を示す説明図である。
【符号の説明】
【００３７】
１  送電鉄塔（屋外設置型金属製構造物）
３  主柱
４  主柱材
５  基礎材
７  フランジ部
８  固定具
１０  斜水盤
１４  溝部
１５  水抜き穴
１６  開口部
１８  防虫器具
１９  筒状体
２０  立状体
２１  抜け防止機構
２２  基部
２３  可変部
２４  作動棒
２８  引き金具
３０  防虫器具
３１  枠体
３２  網状部
３３  抜け防止機構
３４  環状部材
３５  弾性線状部材
３７  防虫器具
【図１】
2007089500.tif 000003
【図２】
2007089500.tif 000004
【図３】
2007089500.tif 000005
【図４】
2007089500.tif 000006
【図５】
2007089500.tif 000007
【図６】
2007089500.tif 000008
【図７】
2007089500.tif 000009
【図８】
2007089500.tif 000010
【図９】
2007089500.tif 000011
【図１０】
2007089500.tif 000012